(57)【要約】【目的】  各反射面の反射特性が均一な反射型光学部材及びその製造方法を提供する。【構成】  反射型光学部材１は、第１の方向からの入射光を特定方向に反射する第１反射面１ａと第２の方向からの入射光を前記特定方向と平行な方向に反射する第２反射面１ｂとが交互に配置されたものであり、前記第１反射面１ａを有するブロック１Ａと前記第２反射面１ｂを有するブロック１Ａとを交互に接合した山形状を有する。各ブロック１Ａは第１反射面１ａ又は第２反射面１ｂとなる一つの面を持つことになる。従って、当該一つの面の垂線方向を蒸着源３に合わせることができ、当該面に蒸着によって反射膜を形成するときには当該面の両端で蒸着源３からの距離に相違は生じないことになり、反射膜特性が不均一になるのを防止できる。【選択図】        図１
2005099587.tif 000002
【特許請求の範囲】
【請求項１】
第１の方向からの入射光を特定方向に反射する第１反射面と第２の方向からの入射光を前記特定方向と平行な方向に反射する第２反射面とが交互に配置された反射型光学部材であって、前記第１反射面を有するブロックと前記第２反射面を有するブロックとを交互に接合して成ることを特徴とする反射型光学部材。
【請求項２】
請求項１に記載の反射型光学部材を製造する方法であって、加工前ブロックを反射面とする部位が外向きになるように治具上に斜め配置して前記部位を面化研磨加工する工程と、加工された面に反射素材を蒸着する工程と、を含むことを特徴とする反射型光学部材の製造方法。
【請求項３】
請求項１に記載の反射型光学部材を製造する方法であって、側面視で平行四辺形となるブロックを反射面とする面が外向きになるように治具上に配置する工程と、前記面に反射素材を蒸着する工程と、を含むことを特徴とする反射型光学部材の製造方法。
【請求項４】
請求項３に記載の反射型光学部材の製造方法において、平行四辺形となるブロックを治具上に配置する前に反射面とする面を研磨加工しておくか又は治具上に配置した後に研磨加工することを特徴とする反射型光学部材の製造方法。
【請求項５】
請求項２乃至請求項４のいずれかに記載の反射型光学部材の製造方法において、複数のブロックを治具上に配置することを特徴とする反射型光学部材の製造方法。
【請求項６】
請求項１に記載の反射型光学部材と、前記第１の方向上に設けられて照明光を第１反射面に向けて出射する第１の光源と、前記第２の方向上に設けられて照明光を第２反射面に向けて出射する第２の光源と、を備えたことを特徴とする多灯式照明装置。
【発明の詳細な説明】
【技術分野】
【０００１】
この発明は、反射型光学部材及びその製造方法及び多灯式照明装置に関する。
【背景技術】
【０００２】
従来より、大画面映像を表示する装置として、照明装置からの光を液晶パネルに照射し、この液晶パネルに表示されている画像をスクリーン上に拡大投写する液晶プロジェクタが知られており、その照明装置として複数の光源を用いる多灯式照明装置を用いるものが在る（特許文献１参照）。図６に示しているように、多灯式照明装置５０は、第１光源５１及び第２光源５２から出射された光束を、反射合成部５３にて合成するように構成されたものである。前記反射合成部５３は、第１の反射面５３ａと第２の反射面５３ｂとを交互に備えている。反射合成部５３はプリズムアレイとも呼ばれている。かかる多灯式照明装置５０は、小さな光源を複数用いることにより、光源の寿命による発光停止（ランプ切れ）が生じた場合でも投写の続行が可能となる。
【特許文献１】特開２００２−２９６６７９号公報
【発明の開示】
【発明が解決しようとする課題】
【０００３】
ところで、前記反射合成部５３は、図５（ａ）に示すように、第１の反射面５３ａと第２の反射面５３ｂを有する三角柱状のブロック５３Ａを複数接合して成るか或いは、同図（ｂ）に示すように、必要な受光領域を持つ大きさのプレート５３Ｂに第１の反射面５３ａと第２の反射面５３ｂとを交互に形成して成るものが用いられる。各反射面５３ａ・５３ｂは、蒸着により反射膜が形成されて完成される。蒸着は、同図（ｃ）に示すように、蒸着源６０から所定距離の位置にブロック５３Ａ（プレート５３Ｂ）を置いて行われる。
【０００４】
しかしながら、ブロック５３Ａ（プレート５３Ｂ）における反射面５３ａ・５３ｂとなる面は蒸着源６０に対して傾斜して存在するため、当該面の両端で蒸着源６０からの距離に相違が生じ、反射膜特性が不均一になってしまう。
【０００５】
この発明は、上記の事情に鑑み、良好な反射特性を有する反射型光学部材及びその製造方法及び多灯式照明装置を提供することを目的とする。
【課題を解決するための手段】
【０００６】
この発明にかかる反射型光学部材は、上記の課題を解決するために、第１の方向からの入射光を特定方向に反射する第１反射面と第２の方向からの入射光を前記特定方向と平行な方向に反射する第２反射面とが交互に配置された反射型光学部材であって、前記第１反射面を有するブロックと前記第２反射面を有するブロックとを交互に接合して成ることを特徴とする。
【０００７】
上記の構成であれば、各ブロックは第１反射面又は第２反射面となる一つの面を持つことになる。従って、当該一つの面の垂線方向を蒸着源に合わせることができ、当該面に蒸着で反射膜を形成するときには当該面の両端で蒸着源からの距離に相違は生じないことになり、反射膜特性が不均一になるのを防止できる。
【０００８】
この発明の反射型光学部材の製造方法は、上記反射型光学部材を製造する方法であって、加工前ブロックを反射面とする部位が外向きになるように治具上に斜め配置して前記部位を面化研磨加工する工程と、加工された面に反射素材を蒸着する工程と、を含むことを特徴とする。
【０００９】
また、この発明の反射型光学部材の製造方法は、上記反射型光学部材を製造する方法であって、側面視で平行四辺形となるブロックを反射面とする面が外向きになるように治具上に配置する工程と、前記面に反射素材を蒸着する工程と、を含むことを特徴とする。この製造方法において、平行四辺形となるブロックを治具上に配置する前に反射面とする面を研磨加工しておくか又は治具上に配置した後に研磨加工するのがよい。また、これらの製造方法において、複数のブロックを治具上に配置しておけば同時に複数の反射面を有するブロックを得ることができる。
【００１０】
また、この発明の多灯式照明装置は、前述の反射型光学部材と、前記第１の方向上に設けられて照明光を第１反射面に向けて出射する第１の光源と、前記第２の方向上に設けられて照明光を第２反射面に向けて出射する第２の光源と、を備えたことを特徴とする。
【発明の効果】
【００１１】
この発明によれば、各ブロックは第１反射面又は第２反射面となる一つの面を持つことになる。従って、当該一つの面の垂線方向を蒸着源に合わせることができ、当該面に蒸着で反射膜を形成するときには当該面の両端で蒸着源からの距離に相違は生じないことになり、反射膜特性が不均一になるのを防止できるという効果を奏する。
【発明を実施するための最良の形態】
【００１２】
以下、この発明の実施形態の反射型光学部材及びその製造方法を図１乃至図４に基づいて説明していく。
【００１３】
図１（ａ）は、反射型光学部材１を示した側面図であり、同図（ｂ）は反射型光学部材１を構成するブロック１Ａに対する蒸着の様子を示した説明図である。反射型光学部材１は、第１の方向からの入射光を特定方向に反射する第１反射面１ａと第２の方向からの入射光を前記特定方向と平行な方向に反射する第２反射面１ｂとが交互に配置されたものであり、前記第１反射面１ａを有するブロック１Ａと前記第２反射面１ｂを有するブロック１Ａとを交互に接合した山形状を有する。ブロック１Ａの長さは反射型光学部材１の縦方向（山形の稜線方向）の長さに一致し、ブロック１Ａの配置個数をＮとすると、各ブロック１Ａの横方向の長さ（接合面となる平行面間の水平距離）は、反射型光学部材１の横方向の長さの１／Ｎとなる。各ブロック１Ａは、水平面（基準面）となる面に対面する面が前記反射面となり、また、接合の面は前記水平面（基準面）に対して垂直となって互いに平行となるように形成されている。各ブロック１Ａは第１反射面１ａ又は第２反射面１ｂとなる一つの面を持つことになる。従って、同図（ｂ）に示したように、当該一つの面の垂線方向を蒸着源３に合わせることができ、当該面に蒸着によって反射膜を形成するときには当該面の両端で蒸着源３からの距離に相違は生じないことになり、反射膜特性が不均一になるのを防止できる。
【００１４】
次に、図３に基づいて反射型光学部材１の製造方法を説明していく。まず、同図（ａ）に示すように、ガラス等から成る加工前ブロック１Ａ′を作製する。次に、同図（ｂ）に示すように、複数の加工前ブロック１Ａ′を反射面とする部位が上向きになるように治具４上に斜め配置し、前記部位を研磨装置にて面化研磨加工する。治具４は前記斜め配置に対応する収容部を有しており、この収容部に配置された加工前ブロック１Ａ′をその端面側においてクランプする。次に、同図（ｃ）に示すように、加工された面に蒸着源（金属等）５にて反射膜を蒸着してブロック１Ａを得る。次に、治具４からブロック１Ａを取り出し、同図（ｄ）に示すように、ブロック１Ａ…を接着剤にて接合して反射型光学部材１を製造する。
【００１５】
図２（ａ）は、反射型光学部材２を示した側面図であり、同図（ｂ）は反射型光学部材２を構成するブロック２Ａに対する蒸着の様子を示した説明図である。反射型光学部材２は、第１の方向からの入射光を特定方向に反射する第１反射面２ａと第２の方向からの入射光を前記特定方向と平行な方向に反射する第２反射面２ｂとが交互に配置されたものであり、前記第１反射面２ａを有するブロック２Ａと前記第２反射面２ｂを有するブロック２Ａとを交互に接合して成る。ブロック２Ａの長さは反射型光学部材２の縦方向の長さに一致し、ブロック２Ａの配置個数をＮとすると、各ブロック２Ａの横方向の長さ（接合面となる平行面間の水平距離）は、反射型光学部材２の横方向の長さの１／Ｎとなる。各ブロック２Ａは、水平面（基準面）となる面と平行に前記反射面となる面を有しており、また、接合の面は前記水平面（基準面）に対してそれぞれ所定角度をなし、側面視で平行四辺形をなすように形成されている。各ブロック２Ａは第１反射面２ａ又は第２反射面２ｂとなる一つの面を持つことになる。従って、同図（ｂ）に示したように、当該一つの面の垂線方向を蒸着源３に合わせることができ、当該面に蒸着によって反射膜を形成するときには当該面の両端で蒸着源３からの距離に相違は生じないことになり、反射膜特性が不均一になるのを防止できる。
【００１６】
次に、図４に基づいて反射型光学部材２の製造方法を説明していく。同図（ａ）に示すように、立方体形状のブロックをその反射面となる面に対して斜めに切断して複数のブロック２Ａ′を作製し、これらを前記反射面とする面が上向きになるように治具６上に配置する。この段階で既に反射面となる面が研磨されていてもよいし、或いは、この治具６上にブロックを配置した後に研磨を行うようにしてもよい。治具６は水平な底面を有し端部壁が前記所定角度に対応した収容部を有しており、この収容部に配置された加工前ブロック２Ａ′…をその端面側においてクランプする。そして、反射面となる面に蒸着源（金属等）５にて反射膜を蒸着してブロック２Ａを得る。次に、治具６からブロック２Ａを取り出し、これらを成形台７上に交互に配置し接着剤にて互いに接合して反射型光学部材２を製造する。
【００１７】
反射型光学部材２は、前記成形台７に接着されてこれと共に多灯式照明装置に設けられることとしてもよい。
【００１８】
この発明の多灯式照明装置は、図６の多灯式照明装置において、その反射型光学部材５３に代えて前述の反射型光学部材１又は反射型光学部材２を備えたものとなる。すなわち、第１の方向からの入射光を特定方向に反射する第１反射面と第２の方向からの入射光を前記特定方向と平行な方向に反射する第２反射面とが交互に配置された前記反射型光学部材１又は反射型光学部材２と、前記第１の方向上に設けられて照明光を第１反射面に向けて出射する第１の光源と、前記第２の方向上に設けられて照明光を第２反射面に向けて出射する第２の光源と、を備えたものとなる。
【図面の簡単な説明】
【００１９】
【図１】この発明の実施形態を示した図であって、同図（ａ）は反射型光学部材の側面図であり、同図（ｂ）は反射型光学部材を構成するブロックにおいて反射面を形成するための蒸着の様子を示した説明図である。
【図２】この発明の他の実施形態を示した図であって、同図（ａ）は反射型光学部材の側面図であり、同図（ｂ）は反射型光学部材を構成するブロックにおいて反射面を形成するための蒸着の様子を示した説明図である。
【図３】同図（ａ）乃至（ｄ）は図１の反射型光学部材を得るための製造方法を示した説明図である。
【図４】図２の反射型光学部材を得るための製造方法を示した説明図である。
【図５】従来例を示した図であって、同図（ａ）（ｂ）はそれぞれ反射合成部の平面図であり、同図（ｃ）は反射型光学部材を構成するブロックにおいて反射面を形成するための蒸着の様子を示した説明図である。
【図６】従来例の多灯式照明装置を示した説明図である。
【符号の説明】
【００２０】
１    反射型光学部材
２    反射型光学部材
３，５    蒸着源
４，６    治具
７    成形台
【図１】
2005099587.tif 000003
【図２】
2005099587.tif 000004
【図３】
2005099587.tif 000005
【図４】
2005099587.tif 000006
【図５】
2005099587.tif 000007
【図６】
2005099587.tif 000008